(57)【要約】【課題】地震の際にテーブル又は机の下に避難した人がその場所から放り出されるのを防ぐことができるとともに、テーブル又は机の強度を向上させることができ、しかもテーブル又は机の下のスペースを有効利用することができるハンドル付収納ボックスを提供すること。【解決手段】テーブル２の天板２ｂの下面に固定手段１４，１５によって固定された状態で床ＦＬ上に設置される収納ボックス３に、人の手で掴むことができるハンドル４を付設したハンドル付収納ボックス１Ａであって、収納ボックス３を、一対の縦板５ａ，５ｂと一対の横板６ａ，６ｂとを内部に物品収容スペース７が形成されるように四角枠状に組んで構成し、該収納ボックス３の縦板５ａ，５ｂにハンドル４を、縦板５ａ，５ｂに沿って上下方向に延び、かつ外側方に張り出すように取り付けるものとする。【選択図】図１
2016016167.tif 000002
【特許請求の範囲】
【請求項１】
テーブル又は机の天板下面に固定手段によって固定された状態で床上に設置される収納ボックスに、人の手で掴むことができるハンドルを付設してなることを特徴とするハンドル付収納ボックス。
【請求項２】
収納ボックスを、上下方向に延びる縦板と左右方向に延びる横板とを内部に物品収容スペースが形成されるように四角枠状に組んで構成し、該収納ボックスの縦板にハンドルを、縦板に沿って上下方向に延び、かつ外側方に張り出すように取り付けたことを特徴とする請求項１記載のハンドル付収納ボックス。
【発明の詳細な説明】
【技術分野】
【０００１】
本発明は、テーブル又は机の下に設置されて好適なハンドル付収納ボックスに関し、特に、地震の際にテーブル又は机の下に避難した人がその場所から放り出されるのを防ぐ機能と、例えば震災時に必要とされる災害対策用品等の物品を備蓄する機能とを兼ね備えたハンドル付収納ボックスに関するものである。
【背景技術】
【０００２】
従来、地震の際にテーブル又は机の下に避難した人がその場所から放り出されるのを防ぐために、適宜長さの握持棒を横に寝かせた状態で両端部をテーブル又は机の天板下面にビス等で固定して、避難したテーブル又は机の下でその握持棒に掴まるようにしたものが提案されている（例えば、特許文献１参照）。
【０００３】
しかし、握持棒を取り付けたテーブル又は机が中央部に支柱のない例えば四脚タイプのものである場合、地震の揺れによって家具や天井の梁がテーブル又は机に倒れてきたときに、天板が折れて下に避難した人を直撃してしまう恐れがある。
【０００４】
そこで、避難したテーブル又は机の下から放り出されないように掴まることができる握持棒としての機能と、テーブル又は机の天板を支えて補強する補強部材としての機能とを兼ねる支柱を、テーブル又は机の天板下面に固定手段によって固定された状態で床上に設置するようにしたものが提案されている（例えば、特許文献２参照）。
【先行技術文献】
【特許文献】
【０００５】
【特許文献１】特開平１１−７５９４３号公報
【特許文献２】特開２００６−３１４３６２号公報
【０００６】
しかしながら、特許文献２に記載のものでは、支柱が握持棒としての機能と補強部材としての機能としか持ち合わせておらず、テーブル又は机の下のスペースを有効利用することができないという問題点がある。
【発明の概要】
【発明が解決しようとする課題】
【０００７】
本発明は、上記従来技術の有する問題点に鑑み、地震の際にテーブル又は机の下に避難した人がその場所から放り出されるのを防ぐことができるとともに、テーブル又は机の強度を向上させることができ、しかもテーブル又は机の下のスペースを有効利用することができるハンドル付収納ボックスを提供することを目的とする。
【課題を解決するための手段】
【０００８】
上記目的を達成するため、本発明のハンドル付収納ボックスは、テーブル又は机の天板下面に固定手段によって固定された状態で床上に設置される収納ボックスに、人の手で掴むことができるハンドルを付設してなることを特徴とする。
【０００９】
この場合において、収納ボックスを、上下方向に延びる縦板と左右方向に延びる横板とを内部に物品収容スペースが形成されるように四角枠状に組んで構成し、該収納ボックスの縦板にハンドルを、縦板に沿って上下方向に延び、かつ外側方に張り出すように取り付けることができる。
【発明の効果】
【００１０】
本発明のハンドル付収納ボックスによれば、テーブル又は机の天板下面に固定された状態で床上に設置される収納ボックスにハンドルが付設されるので、地震の際に避難したテーブル又は机の下でそのハンドルに掴まることによって、テーブル又は机の下に避難した人がその場所から放り出されるのを防ぐことができる。
また、テーブル又は机の天板が収納ボックスによって下側から支えられているので、テーブル又は机の強度を向上させることができ、万一、地震の揺れによって家具や天井の梁がテーブル又は机に倒れてきたとしても、天板が折れるようなことがない。
また、収納ボックスに所要の物品が収納されるので、テーブル又は机の下のスペースを有効利用することができる。
なお、収納ボックスに収納される所要の物品として、例えば震災時に必要とされる飲料水や非常食等を備蓄するようにすれば、万一、テーブルや机の下に閉じ込められたとしても、しばらくの間それら飲料水や非常食等によって生き長らえることができる。
【００１１】
また、収納ボックスを、上下方向に延びる縦板と左右方向に延びる横板とを内部に物品収容スペースが形成されるように四角枠状に組んで構成し、該収納ボックスの縦板にハンドルを、縦板に沿って上下方向に延び、かつ外側方に張り出すように取り付けることにより、物品収容スペースを最大限広く確保することができるとともに、収納ボックスの側方からは勿論のこと、前方又は後方からもハンドルに容易に掴まることができる。
【図面の簡単な説明】
【００１２】
【図１】本発明の一実施形態に係るハンドル付収納ボックスを示す図で、（ａ）は正面図、（ｂ）は平面図、（ｃ）は右側面図である。
【図２】同ハンドル付収納ボックスの変形例を示す図で、（ａ）は正面図、（ｂ）は右側面図である。
【発明を実施するための形態】
【００１３】
次に、本発明のハンドル付収納ボックスの実施の形態を、図面に基づいて説明する。
【００１４】
＜ハンドル付収納ボックスの概略説明＞
図１（ａ）〜（ｃ）に示されるハンドル付収納ボックス１Ａは、四隅に配される４本の脚２ａによって天板２ｂが支えられてなるテーブル２に適用されるものであって（机にも適用可）、天板２ｂの下面に固定された状態で床ＦＬ上に設置される収納ボックス３に、人の手で掴むことができるハンドル４を付設して構成されている。
【００１５】
＜収納ボックスの説明＞
収納ボックス３は、左右方向に所定間隔を有して互いの板面を向い合せて配置される上下方向に延びる一対の縦板５ａ，５ｂと、上下方向に所定間隔を有して互いの板面を向い合せて配置される左右方向に延びる一対の横板６ａ，６ｂとを四角枠状に組んで構成され、その内部に、前後方向に開放された物品収容スペース７を有している。
収納ボックス３には、物品収容スペース７の後側の開口を塞ぐように背面板８が固着されるとともに、物品収容スペース７の前側の開口を塞ぐ収納カバー９が、該収納カバー９の四隅を貫通して収納ボックス３に設けられた雌螺子に螺合する４つの止め螺子１０の操作によって着脱可能に取り付けられている。
【００１６】
収納ボックス３の内部には、物品収容スペース７を上下に仕切る棚板１１が配設され、該棚板１１と上側の横板６ａとの間に上段物品収容部７ａが形成されるとともに、該棚板１１と下側の横板６ｂとの間に下段物品収容部７ｂが形成されている。
上段物品収容部７ａには、例えば乾パン等の非常食１２が所要個数収納され、下段物品収容部７ｂには、例えば２リットルの飲料水が入ったペットボトル１３が本例では５本収納されている。
【００１７】
＜固定手段の説明＞
収納ボックス３は、横板６ｂの四隅に装着されたアジャスター１４の操作で天板２ｂの下面に押し付けられることによって天板２ｂの下面に固定されている。
ここで、アジャスター１４は、横板６ｂと床との間に配される台座部材１４ａに、横板６ｂに設けられた雌螺子に螺合する螺子軸１４ｂが一体的に植設されて構成されている。
アジャスター１４の螺子軸１４ｂを横板６ｂに対して緩める方向に回す操作により、収納ボックス３を上昇させることができ、上昇した収納ボックス３が天板２ｂの下面に接触してから更に収納ボックス３を上昇させるようにアジャスター１４を操作することにより、天板２ｂと床との間で収納ボックス３を突っ張らせて、収納ボックス３を天板２ｂの下面に固定することができる。
これとは反対に、アジャスター１４の螺子軸１４ｂを横板６ｂに対して締め込む方向に回す操作により、収納ボックス３を下降させることができ、天板２ｂの下面から離れるまで収納ボックス３を下降させれば、収納ボックス３を自由に動かせる状態とすることができる。
【００１８】
また、収納ボックス３は、横板６ａを貫いて天板２ｂにねじ込まれる所要のビス１５の締め付けによって天板２ｂの下面に固定されている。
【００１９】
上記のアジャスター１４及びビス１５は、いずれも収納ボックス３を天板２ｂの下面に固定する固定手段としての役目をし、アジャスター１４及びビス１５の両方を併用してもよいし、アジャスター１４及びビス１５のいずれか一方のみを用いてもよい。
【００２０】
＜ハンドルの説明＞
ハンドル４は、縦板５ａ，５ｂの外側板面に沿って平行に上下方向に延びるハンドル本体部４ａを備え、このハンドル本体部４ａの両端に該ハンドル本体部４ａと直角をなすように一対の脚部４ｂが一体的に形成されてなり、一対の脚部４ｂが縦板５ａ，５ｂの外側板面に固定されることにより、外側方に張り出すように縦板５ａ，５ｂに取り付けられている。
【００２１】
以上に述べたように構成されるハンドル付収納ボックス１Ａは、図１（ｂ）において点線で示されるように、テーブル２において最も強度が不足すると考えられる天板２ｂの中央部を支えるように天板２ｂの下方の床上に設置される。
設置にあたっては、まず、アジャスター１４の操作によって収納ボックス３を下降させ、収納ボックス３の高さを天板２ｂの下面の高さ位置よりも低い状態とする。
その後、ハンドル付収納ボックス１Ａを、天板２ｂの下に潜り込ませるようにして、天板２ｂの中央部に対応する床上まで移動させ、位置が定まったら、アジャスター１４の操作によって収納ボックス３を上昇させ、上昇した収納ボックス３が天板２ｂの下面に接触してから更に収納ボックス３を上昇させるようにアジャスター１４を操作することにより、天板２ｂと床との間で収納ボックス３を突っ張らせて、収納ボックス３を天板２ｂの下面に固定する。
なお、収納ボックス３を天板２ｂの下面により強固に固定する必要があるときには、所要のビス１５を用いて横板６ａを天板２ｂに締結するようにする。
【００２２】
このようにして設置したハンドル付収納ボックス１Ａにおいては、上段物品収容部７ａには、例えば小麦粉や食塩、砂糖等を収納し、下段物品収容部７ｂには、醤油や調理油、料理酒等を収納して、日常よく使う食品等をストックするようにしてもよいが、震災時に必要とされる飲料水や食糧のようなものを備蓄するのが好ましく、上段物品収容部７ａには、例えば乾パン等の非常食１２を収納し、下段物品収容部７ｂには、例えば２リットルの飲料水が入ったペットボトル１３を収納するようにしている。
【００２３】
＜作用効果の説明＞
本実施形態のハンドル付収納ボックス１Ａによれば、天板２ｂの下面に固定された状態で床上に設置される収納ボックス３にハンドル４が付設されるので、地震の際に避難したテーブル２の下でそのハンドル４に掴まることによって、テーブル２の下に避難した人がその場所から放り出されるのを防ぐことができる。
また、天板２ｂの中央部が収納ボックス３によって下側から支えられているので、テーブル２の強度を向上させることができ、万一、地震の揺れによって家具や天井の梁がテーブル２に倒れてきたとしても、天板２ｂが折れるようなことがない。
また、震災時に必要とされる非常食１２や飲料水入りペットボトル１３等が収納ボックス３に収納されるので、テーブル２の下のスペースを有効利用することができるとともに、万一、震災時にテーブル２の下に閉じ込められたとしても、しばらくの間それら非常食１２やペットボトル１３の飲料水等によって生き長らえることができる。
【００２４】
さらに、収納ボックス３を、一対の縦板５ａ，５ｂと一対の横板６ａ，６ｂとを内部に物品収容スペース７が形成されるように四角枠状に組んで構成し、該収納ボックス３の縦板５ａ，５ｂにハンドル４を、縦板５ａ，５ｂに沿って上下方向に延び、かつ外側方に張り出すように取り付けたので、後述する変形例のように、一対の縦板５ａ，５ｂの上端部同士を連結する前側及び後側のそれぞれの連結板２１の外側板面にハンドル２０を設けるようにしたものと比べて、物品収容スペース７を最大限広く確保することができるとともに、収納ボックス３の側方からは勿論のこと、前方又は後方からもハンドル４に容易に掴まることができる。
【００２５】
以上、本発明のハンドル付収納ボックスについて、一実施形態に基づいて説明したが、本発明は上記実施形態に記載した構成に限定されるものではなく、その趣旨を逸脱しない範囲において適宜その構成を変更することができるものである。
【００２６】
例えば、図２（ａ）及び（ｂ）に示されるような変形例を採用することも可能である。
この変形例に係るハンドル付収納ボックス１Ｂにおいて、収納ボックス３に付設されるハンドル２０は、一対の縦板５ａ，５ｂの上端部同士を連結する前側及び後側のそれぞれの連結板２１の外側板面に沿って平行に左右方向に延びるハンドル本体２０ａを備え、このハンドル本体２０ａの両端部を一対の脚部材２０ｂで支持するようにし、一対の脚部材２０ｂを連結板２１の外側板面に固定することにより、前方及び後方にそれぞれ張り出した状態で連結板２１に取り付けるようにされている。
【００２７】
また、上記の実施形態においては、ハンドル付収納ボックス１Ａが、図１（ｂ）において点線で示されるように、テーブル２において最も強度が不足すると考えられる天板２ｂの中央部を支えるように設置する例を示したが、これに限定されるものではなく、図１（ｂ）において二点鎖線で示されるように、天板２ｂの端部を支えるようにハンドル付収納ボックス１Ａを設置するようにしてもよい。
【００２８】
また、収納ボックスに収納される備蓄品としては、上記に挙げた非常食１２や飲料水入りペットボトル１３等以外に、非常用トイレ、燃料、電灯、バッテリ、医薬品、ラジオ等の災害対策用品等が挙げられる。
【産業上の利用可能性】
【００２９】
本発明のハンドル付収納ボックスは、地震の際にテーブル又は机の下に避難した人がその場所から放り出されるのを防ぐことができるとともに、テーブル又は机の強度を向上させることができ、しかもテーブル又は机の下のスペースを有効利用することができるという特性を有していることから、震災対策の用途に好適に用いることができる。
【符号の説明】
【００３０】
１Ａ，１Ｂ  ハンドル付収納ボックス
２  テーブル
２ｂ  天板
３  収納ボックス
４，２０  ハンドル
５ａ，５ｂ  縦板
６ａ，６ｂ  横板
７  物品収容スペース
１４  アジャスター（固定手段）
１５  ビス（固定手段）
ＦＬ  床
【図１】
2016016167.tif 000003
【図２】
2016016167.tif 000004